(57)【要約】【課題】  折返部を急激に折り曲げなくても、折返部の両側のフイルム同士を隙間なく重ね合わせることができるフレキシブル基板及びスイッチ板を提供する。【解決手段】  接点パターン１４を設けた基板部１１ａと、接点パターン１５を設けた基板部１１ｂと、両基板部１１ａ，１１ｂ間を接続する折返部１２とでフレキシブル基板１０を構成する。基板部１１ａの折返部１２近傍部分、即ち接点パターン１４と折返部１２との間に貫通するスリット部２０を設ける。フレキシブル基板１０を折返部１２の部分で折り返して、基板部１１ｂを基板部１１ａの下側に重ね合わせて接点パターン１４と接点パターン１５とを互いに対向させてスイッチ１８を構成し、スイッチ板１とする。このとき折返部１２のはね返りの応力によって折返部１２は開こうとするが、基板部１１ａのスリット部２０よりも接点パターン１４側の部分と基板部１１ｂとは互いに隙間なく重ね合わせることができる。【選択図】図２
2005183137.tif 000002
【特許請求の範囲】
【請求項１】
可撓性を有するフイルムの表面に回路パターンを形成すると共に、前記フイルムを折返部の部分で折り返して二重に重ね合わせる構造のフレキシブル基板において、
前記二重に重ね合わせたフイルムの内の少なくとも一方のフイルムの折返部近傍部分に、前記折返部のはね返りの応力を緩和するスリット部を設けたことを特徴とするフレキシブル基板。
【請求項２】
可撓性を有するフイルムの表面に一対の接点パターンを形成すると共に、前記フイルムを折返部の部分で折り返して二重に重ね合わせることで前記一対の接点パターンを対向させてスイッチを構成してなるスイッチ板において、
前記二重に重ね合わせたフイルムの内の少なくとも一方のフイルムの折返部近傍部分に、前記折返部のはね返りの応力を緩和するスリット部を設けたことを特徴とするスイッチ板。
【発明の詳細な説明】
【技術分野】
【０００１】
本発明は、フレキシブル基板及びスイッチ板に関するものである。
【背景技術】
【０００２】
従来、フレキシブル基板を用いて構成されるスイッチ板として、図１（ａ），（ｂ）に示す構造のものがある。即ち同図に示すスイッチ板３００は、可撓性を有する合成樹脂製のフイルム２０１からなる一対の基板部２０１ａ，２０１ｂ及びそれらを連結する折返部２０２を具備するとともに両基板部２０１ａ，２０１ｂの下面中央にそれぞれ接点パターン２０４，２０５を設けることでフレキシブル基板２００を形成し、このフレキシブル基板２００の折返部２０２の部分を折り返すことで基板部２０１ｂを基板部２０１ａの下側に重ね合わせて構成されている。
【０００３】
ここで両基板部２０１ａ，２０１ｂの接点パターン２０４，２０５を設けた側の面（下面）の接点パターン２０４，２０５を除く表面には、スペーサ層２０３が印刷によって形成されており、従って両基板部２０１ａ，２０１ｂを重ね合わせた際に両接点パターン２０４，２０５はスペーサ層２０３の厚みによって薄い隙間を介して対向し、これによってスイッチ（メンブレンスイッチ）２０８が構成される。また基板部２０１ａの接点パターン２０４を設けた面の反対側面（図１（ａ）の上面）にはクリック板２０６が取り付けられている。また、各接点パターン２０４，２０５からは図示しない回路パターンが引き出されているが、接点パターン２０５から引き出される回路パターンは折返部２０２上を通過する。
【０００４】
そしてこのスイッチ板３００は、例えば図１（ｂ）に示すように、重ね合わせた両基板部２０１ａ，２０１ｂの周囲にそれぞれ設けた貫通孔からなる固定部２０９、及びスイッチ板３００の下側に設置した硬質の取付板２５０の前記各固定部２０９に対向する位置に設けた貫通孔からなる固定部２５１に、このスイッチ板３００上に被せられるケース等に設けたボス２０７の先端を貫通させ、取付板２５０の下面側から突出するボス２０７先端を熱カシメによって固定する。これによって両基板部２０１ａ，２０１ｂは互いに隙間なく重ね合わされる。そして図示しない前記ケースに取り付けたキートップによってクリック板２０６の上面中央を押圧すれば、クリック板２０６が反転し、両接点パターン２０４，２０５間が当接することでスイッチ２０８がオンする。
【０００５】
ところで上記スイッチ２０８を確実にオンオフさせるためには、上下の基板部２０１ａ，２０１ｂが確実に面接触して両接点パターン２０４，２０５間が設計通りの狭い所定の隙間寸法となっている必要がある。このため上記スイッチ板３００においては、スイッチ板３００を構成する両基板部２０１ａ，２０１ｂの四隅に固定部２０９を設けてその周囲全体を固定し、これによって折返部２０２のはね返りの応力によって両基板部２０１ａ，２０１ｂ間にスイッチ動作不良をもたらす隙間が生じるのを防止している。
【０００６】
しかしながら、電子部品等の小型化に伴い、スイッチ板３００の小型化が進むと、基板部２０１ａ、２０１ｂが小型化され、接点パターン２０４，２０５から折返部２０２に至る寸法が短くなり、このため接点パターン２０４，２０５と折返部２０２の間に設けていた固定部２０９を設けるスペースがなくなる場合が生じた。そして折返部２０２の側の固定部２０９を設けることができないようになると、たとえ折返部２０２から離れた側の固定部２０９の部分をボス２０７によって固定しても、図１（ｃ）に示すように、折返部２０２のはね返りの応力によって基板部２０１ａと基板部２０１ｂの間に隙間２１０が生じてしまい、両接点パターン２０４，２０５間の離間距離が大きくなってしまう。そうすると、クリック板２０６を押圧してこれを反転させても、その反転力よりも折返部２０２のはね返りの応力の方が強すぎて、接点パターン２０４が接点パターン２０５に当接せずに、スイッチ２０８がオンしないという問題を生じる恐れがあった。
【０００７】
上記問題を解決するには、例えば特許文献１の図１に示すように、スイッチ基板の折返部（連結部）の部分を、このスイッチ基板を載置する取付部材に設けたスリット状の押え部に差し込んで固定することで、この折返部の部分をできるだけその折り返し半径が小さくなるように押え込めば良い。しかしながら折返部の折返長が短いと折返し半径を小さくする必要があり、折返部上を通過している回路パターンが急激に折れ曲がってしまい、回路パターンにクラックが入って断線してしまう恐れが生じる。またたとえ折返部を押え部で押え込んだとしても、折返部のはね返りの応力自体は残るので、依然として両基板部間に当該隙間を生じる恐れもあった。
【特許文献１】特開２００１−１８４９８２号公報
【発明の開示】
【発明が解決しようとする課題】
【０００８】
本発明は上述の点に鑑みてなされたものでありその目的は、折返部を急激に折り曲げなくても、折返部の両側のフイルム同士を容易に正規の状態に重ね合わせることができ、これによって小型化してもスイッチ等を容易に設けることができるフレキシブル基板及びスイッチ板を提供することにある。
【課題を解決するための手段】
【０００９】
本願請求項１に記載の発明は、可撓性を有するフイルムの表面に回路パターンを形成すると共に、前記フイルムを折返部の部分で折り返して二重に重ね合わせる構造のフレキシブル基板において、前記二重に重ね合わせたフイルムの内の少なくとも一方のフイルムの折返部近傍部分に、前記折返部のはね返りの応力を緩和するスリット部を設けたことを特徴とするフレキシブル基板にある。
【００１０】
本願請求項２に記載の発明は、可撓性を有するフイルムの表面に一対の接点パターンを形成すると共に、前記フイルムを折返部の部分で折り返して二重に重ね合わせることで前記一対の接点パターンを対向させてスイッチを構成してなるスイッチ板において、前記二重に重ね合わせたフイルムの内の少なくとも一方のフイルムの折返部近傍部分に、前記折返部のはね返りの応力を緩和するスリット部を設けたことを特徴とするスイッチ板にある。
【発明の効果】
【００１１】
本願請求項１に記載の発明によれば、フイルムの折返部近傍部分にスリット部を設けたので、フイルムを折返部で折り返した際に、スリットの折返部側の部分のみが浮き上がり、これによって折返部は急激に折れ曲がらずに開き、同時に二重に重ね合わせたフイルムの部分への折返部のはね返りの応力の影響が緩和されて両フイルムを互いに正規の状態に重ね合わせることができる。また折返部は急激に折れ曲がらないので、折返部上を通過するように設けた回路パターンは破断しない。
【００１２】
本願請求項２に記載の発明によれば、フイルムの折返部近傍部分にスリット部を設けたので、フイルムを折返部で折り返した際に、スリットの折返部側の部分のみが浮き上がって折返部は急激に折れ曲がらずに開き、同時に二重に重ね合わせたフイルムの部分への折返部のはね返りの応力の影響が緩和されて接点パターンを設けたフイルム同士を互いに正規の状態に重ね合わせることができる。また、折返部は急激に折れ曲がらないので、折返部上を通過するように設けた回路パターンは破断しない。
【発明を実施するための最良の形態】
【００１３】
以下、本発明の実施形態を図面に基づいて詳細に説明する。
図２は本発明の一実施形態にかかるフレキシブル基板１０を用いて構成したスイッチ板１を示す図であり、図２（ａ）はその展開斜視図、図２（ｂ）は上面側から見た斜視図、図２（ｃ）は図２（ｂ）のＡ−Ａ断面図である。これらの図に示すようにスイッチ板１は、フレキシブル基板１０の下記する基板部１１ａに設けた接点パターン１４の裏面側（上面側）に反転板（以下この実施形態では「クリック板」という）１６を取り付け、さらに下記する基板部１１ｂを基板部１１ａの下面側に二重に重なるように折り返して構成されている。以下各構成部品について説明する。
【００１４】
フレキシブル基板１０は、一対の略円板状の基板部１１ａ，１１ｂ及びこれら基板部１１ａ，１１ｂ間を連結する基板部１１ａ，１１ｂの寸法幅より小なる幅寸法を有する略矩形の折返部１２及び基板部１１ａから引き出される引出部１９を具備するフイルム１１を具備し、このフイルム１１の前記両基板部１１ａ，１１ｂの下面中央にそれぞれ導電ペーストからなる接点パターン１４，１５を印刷して構成されている。ここでフイルム１１は可撓性を有する合成樹脂フイルム（例えばポリエチレンテレフタレートフイルム）によって構成されている。また折返部１２、引出部１９には各接点パターン１４及び／又は１５から引き出された図示しない導電ペーストにて印刷された回路パターンが配置されており、またフイルム１１下面の前記接点パターン１４，１５を設けた部分以外の面全体には前記各接点パターン１４，１５の厚みより厚い絶縁塗料を塗布してなるスペーサ層１３が形成されている。そして基板部１１ａ中央の接点パターン１４の反対側の面（上面）には弾性金属板をドーム形状に形成してなるクリック板１６が取り付けられている。
【００１５】
一方基板部１１ａの折返部１２近傍部分、具体的には基板部１１ａの接点パターン１４と折返部１２との間には、フイルム１１を貫通して、接点パターン１４と折返部１２間を仕切って基板部１１ａの接点パターン１４を設けた側の部分を折返部１２側の部分から分離する形状（即ち接点パターン１４と折返部１２とを結ぶ線に対して交差する方向に向かって両者を仕切る形状）のスリット部２０が設けられている。スリット部２０は配置されたクリック板１６の外周に沿うように、所定の幅をもった略円弧状の開口部で形成されている。また、基板部１１ａの折返部１２から離れた位置の外周近傍と、基板部１１ｂの折返部１２から離れた位置の外周近傍には、それぞれ貫通孔からなる固定部１７ａと固定部１７ｂとが四つずつ設けられている。これら各固定部１７ａと固定部１７ｂとは、両基板部１１ａ，１１ｂを重ね合わせた際に互いに対向する位置に設けられている。
【００１６】
次にスイッチ板１を組み立てるには、図２（ａ）に示すように展開した状態のフレキシブル基板１０の基板部１１ｂを折返部１２の部分で下側に折り返すことで、図２（ｂ），（ｃ）に示すように、基板部１１ａの下側に基板部１１ｂを重ね合わせる。このとき両接点パターン１４，１５はスペーサ層１３の厚みによって所定の隙間を介した状態で互いに対向し、スイッチ１８を構成する。
【００１７】
そしてこのスイッチ板１を硬質板（金属板）からなる取付部材２５上に載置し、このスイッチ板１の上部を覆うように設置される図示しない成形樹脂製のケースから下方向に向かって突出するボス２２を、重ね合わせることで一致した両固定部１７ａ，１７ｂと、取付部材２５の両固定部１７ａ，１７ｂに対向する位置に設けた貫通孔からなる固定部（図示せず）とに挿入し、取付部材２５の下面から突出したボス２２先端を熱カシメすることによって、ボス２２と取付部材２５間にスイッチ板１を挟持して一体に固定する。
【００１８】
ところで、折返部１２の部分を折り返して両基板部１１ａ，１１ｂを重ね合わせた際、折返部１２にはその弾性反発力によって折れ曲がった状態から元の平面状態に開こうとするはね返りの応力が生じるため、折返部１２の内側には隙間２１が生じる。しかしながら本実施形態においては基板部１１ａにスリット部２０を形成しているので、この折返部１２が開こうとするはね返りの応力は、折返部１２とスリット部２０の間の基板部１１ａに形成された所定の幅をもった略円弧状の連結部２３をその基板部１１ａとつながるヶ所の２ヶ所の連結部端部２３ａから上方へ押し上げる（持ち上げる）力として働く。従って図２（ｃ）に示すように、連結部２３は容易に寸法αだけ基板部１１ａよりも持ち上がり、隙間２１を大きくできると同時に、これにより折返部１２におけるはね返りの応力を連結部２３に逃がしたことになり、接点パターン１４を設けた部分の基板部１１ａは容易に基板部１１ｂに隙間なく重なり合う。このように、スイッチ１８と折返部１２との間にこれらを仕切る形状のスリット部２０を設けたので、両基板部１１ａ，１１ｂの折返部１２近傍部分に固定部１７ａ，１７ｂを設けて挟持・固定しなくても、両基板部１１ａ，１１ｂを容易に隙間なく重ね合わせた状態、即ち正規の状態に取り付けることができる。従って対向する両接点パターン１４，１５の間隔は容易に設計通りの狭い所定の隙間寸法になり、そのオンオフ動作を確実に行うことができる。同時に折返部１２は緩やかに湾曲した状態になるので、折返部１２を通過するように設けた回路パターンにクラックが生じることもない。
【００１９】
そして以上のように構成されたスイッチ板１において、例えば前記図示しないケースに上下動自在に取り付けたキートップを押圧することでクリック板１６の中央を押圧すれば、クリック板１６が反転し、その下にある基板部１１ａが押圧されて接点パターン１４が接点パターン１５に当接しスイッチ１８がオンする。
【００２０】
なお上記実施形態では二重に重ね合わせた一対の基板部１１ａ，１１ｂの内の一方の基板部１１ａの折返部１２近傍部分にスリット部２０を設けたが、もう一方の基板部１１ｂの折返部１２近傍部分にも同様にスリット部を設けても良い。またスリット部２０の形状は上記実施形態の形状・構造に限定されず、要はフイルム１１を貫通することでフイルム１１の二重に重ね合わせた部分（即ち両基板部１１ａ，１１ｂ）への折返部１２のはね返りの応力を緩和する形状・構造であればどのような形状・構造であっても良い。
【００２１】
次に、図３は本発明の他の実施形態にかかるスイッチ板１−２を示す図であり、図３（ａ）はフレキシブル基板３０を上面側から見た展開斜視図、図３（ｂ）は下面側から見た展開斜視図である。また図４はスイッチ板１−２の組み立て手順を示す斜視図、図５は組み立てたスイッチ板１−２を示す斜視図、図６は図４のＢ−Ｂ断面図（但し取付板１８０も合わせて記載されている）である。これらの図に示すようにスイッチ板１−２は、合成樹脂製のフイルム３１を有するフレキシブル基板３０と、弾性金属板をドーム形状に形成してなる反転板（以下この実施形態では「クリック板」という）３２と、押圧部材６０とを具備して構成されている。なおこのスイッチ板１−２は、図７に示す二段押圧型スイッチ付き回転式電子部品１００に用いられるスイッチ板１−２である。以下各構成部分について説明する。
【００２２】
フレキシブル基板３０は、略円形の一対の基板部３３，３４及び基板部３３，３４よりも小径で円形の一対の基板部３５，３６及び基板部３３，３４間を接続する基板部３３，３４の寸法幅より小なる幅寸法を有する略矩形の折返部３７及び基板部３５，３６間を接続する基板部３５，３６の寸法幅より小なる幅寸法を有する略矩形の接続部３９及び基板部３３，３５間を接続する基板部３３，３５の寸法幅より小なる幅寸法を有する略矩形の接続部３８及び基板部３３から引き出される引出部４０を具備するフイルム３１を有し、このフイルム３１の前記各基板部３３，３４，３５，３６の下面の中央にそれぞれ導電ペーストを印刷形成すること（銅箔をエッチングすることで形成しても良い）で接点パターン４３，４４，４５，４６を設け、さらに基板部３４下面の接点パターン４４の外側に図７に示す摺動子１９４が摺接する略円弧状の摺接パターン４７を設けて構成されている。ここでフイルム３１は可撓性を有する合成樹脂フイルム（例えばポリエチレンテレフタレートフイルム）によって構成されている。また接続部３８，３９や折返部３７や引出部４０には各接点パターン４３，４４，４５，４６及び摺接パターン４７から引き出された回路パターン４８が配置されている。なお回路パターン４８は図３（ｂ）にのみ示し、図６ではその記載を省略してある。またフイルム３１下面の前記接点パターン４３，４４，４５，４６及び摺接パターン４７を設けた部分以外の面全体には前記各接点パターン４３，４４，４５，４６の厚みより厚い絶縁塗料を塗付してなるスペーサ層５９（図６には示すが、図３（ｂ）では省略）が形成されている。
【００２３】
そして、基板部３３の折返部３７近傍部分、言い換えれば基板部３３の接点パターン４３と折返部３７の間の位置に、フイルム３１を上下に貫通するスリット部５１が設けられている。スリット部５１は接点パターン４３と折返部３７との間を仕切るように、接点パターン４３の折返部３７側の周囲を囲む所定の幅をもった略円弧状のスリットとして形成されている。一方基板部３３の接点パターン４３からみて折返部３７と反対側の外周近傍には、円弧状に貫通する開口部４１が設けられている。また、基板部３３と基板部３４の外周の折返部３７から離れた位置には貫通孔からなる固定部４２が４つずつ設けられている。
【００２４】
押圧部材６０は略円板形状のモールド樹脂体であり、その下面（図３（ａ）では押圧部材６０の下面が上を向いている）の中央には押圧部６１が設けられ、その上面には前記基板部３５，３６を収納固定する円形の凹部６２が設けられている。また凹部６２の外周側壁の１８０°対向する位置には接続部３８を挿入する切り欠き状の溝からなる係止部６３と接続部３９を固定するスリット状の穴からなる係止部６４が設けられている。
【００２５】
次にこのスイッチ板１−２の組み立て方法を説明すると、まず、基板部３３上面の接点パターン４３に対向する位置にクリック板３２を取り付ける。次に、折返部３７の部分を折り返すことで基板部３４を基板部３３の下側に重ね合わせ、接点パターン４３と接点パターン４４とを互いに対向させた状態にする。このとき図６に示すように、接点パターン４３と接点パターン４４とはスペーサ層５９の厚みによって所定の隙間を介して対向した状態となり、これら一対の接点パターン４３，４４によって第１のスイッチ６６が構成される。
【００２６】
続いて図３に示すように、基板部３６を接続部３９の部分で折り返して基板部３５の下側に重ね合わせ、基板部３５の上から押圧部材６０の凹部６２を被せて、両基板部３５，３６を収納する。このとき折り返された接続部３９を係止部６４に挿入し、接続部３８を係止部６３に差し込んで係止する。これによって両接点パターン４５，４６はスペーサ層５９の厚みによって所定の隙間を介して対向した状態となり、第２のスイッチ６８を構成する。
【００２７】
そして図４に示すように、押圧部材６０を取り付けた基板部３５，３６（図３参照）を接続部３８の部分で折り返して図５に示すように、第１のスイッチ６６の上に載置する。これによって押圧部材６０の押圧部６１がクリック板３２の上面中央に当接する。以上によりスイッチ板１−２の組み立てが完了する。なおこのとき、基板部３４に設けた摺接パターン４７は、基板部３３に設けた開口部４１内に露出する。
【００２８】
図７は前記スイッチ板１−２を用いて構成した二段押圧型スイッチ付き回転式電子部品１００の概略断面図である。図７に示すように二段押圧型スイッチ付き回転式電子部品１００は、ケース１１０の下側に回転自在に第２回転型物１９０を収納し、その下側に前記スイッチ板１−２を設置し、その際第２回転型物１９０の下面側に設けた収納部１９５内に上下動自在に前記押圧部材６０を収納し、さらにスイッチ板１−２の下面側に硬質板（例えば金属板）からなる取付板１８０を設置し、ケース１１０下面から突出するボス１１１を両基板部３３，３４に設けた４箇所の固定部４２（図４参照）と、取付板１８０に設けた図示しない固定部（各固定部４２に対向する位置に設けられている）に貫通し、取付板１８０の下面から突出するボス１１１の先端部を熱カシメして潰すことで、これらを一体に固定する。従って両基板部３３，３４はボス１１１及び取付板１８０によって挟持される。一方第２回転型物１９０はケース１１０の上部に設置された第１回転型物１４０に連結され、さらに第１回転型物１４０はその上を覆うように設置された回転つまみ１７０に連結され、従って回転つまみ１７０と第１回転型物１４０と第２回転型物１９０は一体に回転するように構成されている。また第２回転型物１９０の下面に取り付けた摺動子１９４は、前記フレキシブル基板３０に設けた摺接パターン４７上に当接している。一方、押圧部材６０上に設置した両基板部３５，３６の上には、ケース１１０に上下動自在に軸支されたキートップ１６０が設置されている。キートップ１６０の下面から突出する押圧部１６３の先端は前記基板部３５，３６に形成した第２のスイッチ６８上に位置し、またキートップ１６０上面の押釦部１６１は回転つまみ１７０の中央に設けた開口から露出している。さらに第１回転型物１４０とケース１１０の間には第１回転型物１４０を元の中立位置に自動復帰させるためのねじりコイルバネ１３０が設置され、また第１回転型物１４０とキートップ１６０の間にはキートップ１６０を押し上げるコイルバネ１５０が設置されている。
【００２９】
以上のように構成された二段押圧型スイッチ付き回転式電子部品１００において、スイッチ板１−２の重ね合わせた基板部３３，３４は、前述のように二段押圧型スイッチ付き回転式電子部品１００に組み込まれる際に、ケース１１０に設けたボス１１１（図６参照）によって挟持・固定される。このとき折返部３７にはこの部分を元の平面形状に戻そうとするはね返りの応力が生じ、これによって図４，図６に示すように折返部３７は開こうとし、折返部３７の内側に隙間５２が生じる。しかしながら本実施形態にかかるフレキシブル基板３０には基板部３３にスリット部５１が形成されているため、折返部３７が開こうとするはね返りの応力は、折返部３７とスリット部５１との間の基板部３３に形成された所定の幅をもった略円弧状の連結部５３をその基板部３３とつながるヶ所の２ヶ所の連結部端部５３ａから上方へ押し上げる力として働く。従って図６に示すように、連結部５３は容易に寸法βだけ基板部３３よりも持ち上がり、隙間５２を大きくできると同時に、これにより折返部３７におけるはね返りの応力を連結部５３に逃したことになり、接点パターン４３を設けた部分の基板部３３は容易に基板部３４に隙間なく重なり合う。このように、スイッチ６６と折返部３７との間にこれらを仕切る形状のスリット部５１を設けたので、両基板部３３，３４の折返部３７近傍部分に固定部４２を設けて挟持・固定しなくても、両基板部３３，３４を容易に隙間なく重ね合わせた状態、即ち正規の状態に取り付けることができる。従って対向する両接点パターン４３，４４の間隔は容易に設計通りの狭い所定の隙間寸法になり、そのオンオフ動作を確実に行うことができる。同時に折返部３７は緩やかに湾曲した状態になるので、折返部３７を通過するように設けた回路パターン４８が折返部３７の部分でクラックが生じて断線する恐れもない。
【００３０】
以上のように構成された二段押圧型スイッチ付き回転式電子部品１００において、回転つまみ１７０を回転すると、これと一体となった第１回転型物１４０及び第２回転型物１９０が回転し、第２回転型物１９０の下面に取り付けた摺動子１９４が基板部３３の上面に露出した摺接パターン４７上を摺動して、その電気的出力を変化する。回転つまみ１７０への回転力を解除すれば回転つまみ１７０はねじりコイルバネ１３０の弾発力によって元の位置に自動復帰する。
【００３１】
一方，キートップ１６０の押釦部１６１を押圧すると、キートップ１６０の押圧部１６３がその下にある第２のスイッチ６８を押圧してこれをオンする。そしてさらにキートップ１６０を押し下げると、キートップ１６０とともに押圧部材６０が下降し、押圧部６１がその下にあるクリック板３２を押圧してこれを反転させると共に、第１のスイッチ６６を押圧してこれをオンする。その際前述のように、フレキシブル基板３０にスリット部５１を設けることで両基板部３３，３４は互いに隙間なく重なり合っており、両接点パターン４３，４４は所定の設計寸法どおりに離間しているので、第１のスイッチ６６はクリック板３２を押圧して反転させることで確実にこれをオンすることができる。押釦部１６１への押圧を解除していけば、まずクリック板３２が元の形状に自動復帰して第１のスイッチ６６がオフし、さらにコイルバネ１５０が元の形状に自動復帰することでキートップ１６０も元の位置に自動復帰し、第２のスイッチ６８もオフする。
【００３２】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば、上記各実施形態ではスイッチを設けたフレキシブル基板を例に説明したが、本願発明のフレキシブル基板はスイッチを設けたものに限られず、折返部で折り返すタイプのフレキシブル基板であれば、どのようなフレキシブル基板にも適用できる。また、フレキシブル基板に設けるスリット部の形状も上記実施形態に記載のものに限定されない。また上記実施形態では、二段押圧型スイッチ付き回転式電子部品に用いるフレキシブル基板及びスイッチ板の例を示したが、本願発明のフレキシブル基板及びスイッチ板は二段押圧型スイッチ付き回転式電子部品に用いられる場合に限定されず、他の各種電子部品等に用いてもよい。
【図面の簡単な説明】
【００３３】
【図１】従来のスイッチ板３００を示す図であり、図１（ａ）は展開斜視図、図１（ｂ）は概略断面図、図１（ｃ）は問題点説明図である。
【図２】本発明の一実施形態にかかるスイッチ板１を示す図であり、図２（ａ）は展開斜視図、図２（ｂ）は斜視図、図２（ｃ）は図２（ｂ）のＡ−Ａ断面図である。
【図３】本発明の他の実施形態にかかるスイッチ板１−２の展開図であり、図３（ａ）は上側から見た斜視図、図３（ｂ）は下側から見た斜視図である。
【図４】スイッチ板１−２の組み立て手順説明図である。
【図５】スイッチ板１−２の斜視図である。
【図６】図４のＢ−Ｂ断面図である。
【図７】スイッチ板１−２を用いて構成した二段押圧型スイッチ付き回転式電子部品１００の概略断面図である。
【符号の説明】
【００３４】
１  スイッチ板
１０  フレキシブル基板
１１  フイルム
１１ａ，１１ｂ  基板部
１２  折返部
１３  スペーサ層
１４  接点パターン
１５  接点パターン
１６  クリック板
１７ａ，１７ｂ  固定部
１８  スイッチ
２０  スリット部
２１  隙間
２２  ボス
２３  連結部
３０  フレキシブル基板
３１  フイルム
３２  クリック板
３３，３４，３５，３６  基板部
３７  折返部
３８，３９  接続部
４２  固定部
４３，４４，４５，４６  接点パターン
４７  摺接パターン
４８  回路パターン
５１  スリット部
５２  隙間
５３  連結部
５９  スペーサ層
６０  押圧部材
６１  押圧部
６２  凹部
６６，６８  スイッチ
１００  二段押圧型スイッチ付き回転式電子部品
１１０  ケース
１１１  ボス
１３０  ねじりコイルバネ
１４０  第１回転型物
１５０  コイルバネ
１６０  キートップ
１８０  取付板
１９０  第２回転型物
１９４  摺動子
【図１】
2005183137.tif 000003
【図２】
2005183137.tif 000004
【図３】
2005183137.tif 000005
【図４】
2005183137.tif 000006
【図５】
2005183137.tif 000007
【図６】
2005183137.tif 000008
【図７】
2005183137.tif 000009